【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
ホログラフィック・ディスプレイ装置であって、
第一の光学的にアドレス指定可能な空間光変調器（ＯＡＳＬＭ）上にライトする第一の有機発光ダイオードアレイ（ＯＬＥＤアレイ）と、
第二のＯＡＳＬＭ上にライトする第二のＯＬＥＤアレイと、
を有し、
前記第一のＯＬＥＤアレイと前記第一のＯＡＳＬＭとが隣接レイヤを形成し、
前記第二のＯＬＥＤアレイと前記第二のＯＡＳＬＭとが隣接レイヤを形成し、
前記第一と前記第二のＯＡＳＬＭがホログラムをエンコードし、
リード・ビームのアレイが前記ＯＡＳＬＭを照明し、前記ＯＡＳＬＭが前記ＯＬＥＤアレイによって適切に制御される場合に前記ホログラフィック・ディスプレイ装置によってホログラフィック再構成が生成されている
ことを特徴とするホログラフィック・ディスプレイ装置。
【請求項２】
一つのＯＬＥＤアレイとＯＡＳＬＭとの組は、リード・ビームのアレイの振幅を変調し、他のＯＬＥＤアレイとＯＡＳＬＭとの組はリード・ビームのアレイの位相を変調することを特徴とする請求項１に記載のホログラフィック・ディスプレイ装置。
【請求項３】
一つのＯＬＥＤアレイとＯＡＳＬＭとの組は、リード・ビームのアレイの振幅と位相の第一の組み合わせを変調し、前記他のＯＬＥＤアレイとＯＡＳＬＭとの組はリード・ビームのアレイの振幅と位相の第二の異なる組み合わせを調整することを特徴とする請求項１に記載のホログラフィック・ディスプレイ装置。
【請求項４】
各ＯＬＥＤアレイは、発光ＩＲであり、対応付けられたＯＡＳＬＭの赤外線（ＩＲ）感応レイヤへライトし、ＩＲフィルタは、少なくとも一つのＯＡＳＬＭから他のＯＡＳＬＭへＩＲ光の漏れを妨ぐために２つのＯＡＳＬＭ間に位置づけられることを特徴とする請求項１乃至３のいずれか一項に記載のホログラフィック・ディスプレイ装置。
【請求項５】
少なくとも１つのＯＬＥＤアレイとＯＡＳＬＭは、ＯＬＥＤアレイとＯＡＳＬＭの組を含み、前記ＯＬＥＤアレイとＯＡＳＬＭの組との間の中間的な結像光学系を有していない隣接レイヤと対向して形成される、もしくは、少なくとも一つのＯＬＥＤアレイとＯＡＳＬＭは、ＯＬＥＤアレイとＯＡＳＬＭの組を含み、互いに直接的に物理的結合で固定されていることを特徴とする請求項１乃至４のいずれか一項に記載のホログラフィック・ディスプレイ装置。
【請求項６】
少なくとも一つのＯＬＥＤアレイとＯＡＳＬＭは、ＯＬＥＤアレイとＯＡＳＬＭの組を含み、互いに間接的に物理的結合で固定されている、もしくは、少なくとも一つのＯＬＥＤアレイとＯＡＳＬＭは、ＯＬＥＤアレイとＯＡＳＬＭの組を含み、絶縁レイヤを介して互いに間接的に物理的に結合されることを特徴とする請求項１乃至５のいずれか一項に記載のホログラフィック・ディスプレイ装置。
【請求項７】
前記絶縁レイヤは、Ｂｒａｇｇフィルタのような角度フィルタであることを特徴とする請求項６に記載のホログラフィック・ディスプレイ装置。
【請求項８】
少なくとも一つのＯＬＥＤアレイは、発光ＩＲであり、同じＯＬＥＤアレイとＯＡＳＬＭの組における前記ＯＡＳＬＭ上のＩＲ感応レイヤにライトする、もしくは、
少なくとも一つのＯＬＥＤアレイは、原色でないディスプレイ波長を発し、前記リードアウト波長は１以上のＲＧＢである
ことを特徴とする請求項１乃至７のいずれか一項に記載のホログラフィック・ディスプレイ装置。
【請求項９】
一つのＯＬＥＤアレイの組とＯＡＳＬＭレイヤは、反射型であり、可視光は前記ホログラフィック・ディスプレイ装置から観察者へ反射される、もしくは
少なくとも一つのＯＡＳＬＭは、位相制御を行うためのＦｒｅｅｄｅｒｉｃｋｓｚセル配列である
ことを特徴とする請求項１乃至８のいずれか一項に記載のホログラフィック・ディスプレイ装置。
【請求項１０】
少なくとも一つのＯＡＳＬＭは液晶マテリアルを含む、もしくは、少なくとも一つのＯＡＳＬＭは、感光レイヤとして動作するための感光染料を含むことを特徴とする請求項１乃至９のいずれか一項に記載のホログラフィック・ディスプレイ装置。
【請求項１１】
前記ディスプレイは、バックライトとマイクロレンズ・アレイとに照明され、前記マイクロレンズ・アレイは、前記ディスプレイの小さな領域一面に局所化されたコヒーレンスを提供し、その領域は、前記再構成オブジェクトの所定の点を再構成する際に用いられる情報をエンコードする前記ディスプレイの一部のみであることを特徴とする請求項１乃至１０のいずれか一項に記載のホログラフィック・ディスプレイ装置。
【請求項１２】
ホログラフィック再構成は、仮想観察者ウィンドウを介して視認可能である、もしくは、前記ディスプレイは、観察者の左目、それから右目に対して、ホログラム・ベアリング媒体上にホログラムを時系列的に再エンコードするように動作可能であることを特徴とする請求項１乃至１１のいずれか一項に記載のホログラフィック・ディスプレイ装置。
【請求項１３】
前記ディスプレイは、単一のユーザが観察するためのホログラフィック再構成を生成する、もしくは、前記ディスプレイは、任意の投影レンズを必要とすることなく、光学的遠視野における前記装置からの前記スクリーンの距離と独立してスクリーン上で焦点が合う２Ｄ画像を生成する
ことを特徴とする請求項１乃至１２のいずれか一項に記載のホログラフィック・ディスプレイ装置。
【請求項１４】
複数の前記ＯＡＳＬＭは、光源の３０ｍｍ以内に位置し、ポータブル・ケーシング内に格納される、もしくは、
複数の前記ＯＡＳＬＭと光源と前記光源と位置合わせしたレンズ・アレイとは、全て携帯用ケース内に格納され、前記光源は１０から６０倍の間で前記レンズ・アレイによって拡大される
ことを特徴とする請求項１乃至１３のいずれか一項に記載のホログラフィック・ディスプレイ装置。
【請求項１５】
複数の仮想観察者ウィンドウ（ＶＯＷ）をトラッキングするためのビーム・ステアリング・エレメントを有し、前記ビーム・ステアリング・エレメントは、等方性ホストマテリアルの内側の液晶領域から構成され、前記領域と前記マトリックスとの間の接続面は、プリズム形もしくは球形のつなぎの形状もしくは円筒状のつなぎの形状であり、前記液晶の回転角は、前記ビーム・ステアリング・エレメントの局所的屈折もしくは回折特性を変化させるために外部から供給された電場を用いて制御されることを特徴とする請求項１乃至１４のいずれか一項に記載のホログラフィック・ディスプレイ装置。
【請求項１６】
複数の仮想観察者ウィンドウ（ＶＯＷ）をトラッキングするためのビーム・ステアリング・エレメントを有し、
前記ビーム・ステアリング・エレメントは、複数のプリズム・エレメントを有する複数の制御可能なプリズム・アレイを備え、
前記プリズム・アレイは特にエレクトロ・ウェッティング・プリズム・アレイの形式を有し、
プリズム・エレメントは、複数の電極と２つの分離した液体及び該液体の間の接触面で満たされたキャビティとを備え、前記液体の間の接触面の傾斜は、前記複数の電極に電圧をかけることによって電気的に制御可能であることを特徴とする請求項１乃至１５のいずれか一項に記載のホログラフィック・ディスプレイ装置。
【請求項１７】
請求項１乃至１６のいずれか一項に記載のホログラフィック・ディスプレイ装置を用いた工程を有するホログラフィック再構成を生成するための方法。